(57)【要約】【課題】内部に磁気ディスクを収容した扁平なハウジングに形成されたヘッドアクセス用の開口を、ドライブ装置に対するローディング・アンローディング動作に連動して開閉するロータリーシャッタを備えた磁気ディスクカートリッジにおいて、ロータリーシャッタ開閉時の摺動抵抗を低減する。【解決手段】ハウジングおよびロータリーシャッタ７の少なくとも一方の摺動部に複数の半球状小突起Ｐを形成する。【選択図】          図１
2004334924.tif 000002
【特許請求の範囲】
【請求項１】
内部に磁気ディスクを収容する扁平なハウジングに形成された磁気ヘッドアクセス用の開口を、ドライブ装置に対するローディング・アンローディング動作に連動して開閉するロータリーシャッタを備え、該ロータリーシャッタが前記ハウジングとの間に摺動部を形成する態様で前記ハウジングに軸支されてなる磁気ディスクカートリッジにおいて、
前記ハウジングおよび前記ロータリーシャッタの少なくとも一方に形成された突起が、前記ロータリーシャッタの開閉時に平面上を摺動する態様で、前記摺動部が形成されていることを特徴とする磁気ディスクカートリッジ。
【請求項２】
前記突起が、点在する複数の半球状小突起からなることを特徴とする請求項１記載の磁気ディスクカートリッジ。
【請求項３】
前記突起が、ロータリーシャッタの回転中心を略中心として環状に形成された突条からなることを特徴とする請求項１記載の磁気ディスクカートリッジ。
【請求項４】
前記ハウジングおよび前記ロータリーシャッタのうちのいずれか一方に１条の環状突条が形成され、前記ハウジングおよび前記ロータリーシャッタのうちのいずれか他方に、前記１条の環状突条を挟むように２条の環状突条が形成されていることを特徴とする請求項３記載の磁気ディスクカートリッジ。
【発明の詳細な説明】
【０００１】
【発明の属する技術分野】
本発明は、磁気ディスクを収容するハウジングに形成された磁気ヘッドアクセス用の開口を開閉するロータリーシャッタを備えた小型の磁気ディスクカートリッジに関するものである。
【０００２】
【従来の技術】
近年、記録媒体としての磁気ディスクの高容量化、小型化が進んでおり、このような磁気ディスクを回転自在に収容する小型磁気ディスクカートリッジの一例として、「ｃｌｉｋ！（Ｒ）」と呼ばれるものが知られている（特許文献１参照）。
【０００３】
この磁気ディスクカートリッジは、図５（ａ），（ｂ）にその平面図および底面図で全体として符号１で示すように、押込み部２ａを含む樹脂製のフレーム２と、金属薄板からなる上シェル３および下シェル４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスク５を回転自在に収容している。磁気ディスク５の中央部には、中心孔１０ａを備えたセンタコア１０が固着されている。
【０００４】
この磁気ディスクカートリッジ１は、幅５３ｍｍ、奥行き８５ｍｍ、厚さ５ｍｍの外寸を有するＴＹＰＥＩＩ  ＰＣカード型のドライブ装置（図略）が備えているスロットに挿入形式でローディングされるように構成され、上下シェル３，４には、上記ドライブ装置が備えている記録再生用磁気ヘッドを磁気ディスク５の表面にアクセスさせるためのＶ字状の開口６が形成され、上下シェル３，４の内側には、上記開口６を回転式に開閉するための開口７ａを備えたロータリーシャッタ７が、図示しないバネ部材によって閉方向に付勢された態様で設けられている。
【０００５】
ロータリーシャッタ７は、互いに係合された上下のシャッタ部材７Ｕ，７Ｄからなり、図５のＶＩ‐ＶＩ線に沿った断面図である図６に示すように、上シャッタ部材７Ｕは、上シェル３の下面から内方へ突出する小径の円筒体３ａによって回転可能に軸支され、かつ円筒体３ａの先端には、上シャッタ部材７Ｕの円筒体３ａからの抜出しを防止するためのセンタピンと呼ばれる抜止め部材１１が溶接されて、センタコア１０の中心孔１０ａ内に介入している。上下のシャッタ部材７Ｕ，７Ｄの内面には、それぞれライナ１３が貼り付けられている。
【０００６】
下シェル４の中央部には、センタコア１０を外部に臨ませる円形の開口４ａが形成され、下シャッタ部材７Ｄの中心部には、下シェル４の開口４ａの周縁に遊嵌される大径の円筒体７Ｄａが下方へ向かって突設されて、この円筒体７Ｄａによって下シャッタ部材７Ｄが下シェル４に回転可能に支持されているとともに、円筒体７Ｄａの先端部がカシメられて、下シャッタ部材７Ｄの下シェル４からの抜出しを防止するフランジ１２が形成されている。
【０００７】
さらに下シェル４には、ロータリーシャッタ７と同心的な円弧状溝４ｂが形成され、下シャッタ部材７Ｄには、図５（ｂ）に示すように、上記円弧状溝４ｂから突出しかつこの円弧状溝４ｂに沿って移動してロータリーシャッタ７を開閉するシャッタノブ７ｂが固設されている。そして、ドライブ装置に対する磁気ディスクカートリッジ１のローディング動作に伴って、ドライブ装置の係合壁面がシャッタノブ７ｂに係合して、ロータリーシャッタ７がその開口７ａを上下シェル３，４の開口６に一致させる開位置まで約６０度回転されることにより、磁気ディスク５を上下シェル３，４の開口６から露出させ、かつドライブ装置からの磁気ディスクカートリッジ１のアンローディング動作に伴って、ロータリーシャッタ７は図示しないバネ部材によって閉位置に復帰するように構成されている。
【０００８】
上下のシャッタ部材７Ｕ，７Ｄの面板部の中央部における回転中心を中心として所定の半径で描いた円ｃの内側の領域Ｓ（図５のハッチング領域）は、図６から明らかなように、面板部の他の領域から外方へ隆起した平面を形成しており、この領域Ｓの外面が上下シェル３，４の内面に面接触している。
【０００９】
【特許文献１】
米国特許第６２５６１６８号明細書
【００１０】
【発明が解決しようとする課題】
ところで、上下シェル３，４は、０．２ｍｍ程度の厚さを有するステンレス鋼板で形成され、上下のシャッタ部材７Ｕ，７Ｄは、０．１５ｍｍ程度の厚さを有するアルミニウム合金薄板で形成されているが、上下シェル３，４の内面に面接触している上記領域Ｓは、上下のシャッタ部材７Ｕ，７Ｄの剛性を維持し、かつロータリーシャッタ７の回転を安定させるのに役立ってはいるものの、ロータリーシャッタ７の開閉時には上下シェル３，４の内面上を領域Ｓの外面が摺動するため、摺動抵抗が大きく、かつ発塵の原因となっていた。
【００１１】
この対策として、摺動面間のクリアランスを大きく取ることも考慮されているが、その場合には、いわゆる「がた」が大きくなって、防塵性の低下が懸念される。
【００１２】
上述の事情に鑑み、本発明は、他の特性に悪影響を与えることなく、ロータリーシャッタの開閉時における摺動抵抗を低下させることを目的とするものである。
【００１３】
【課題を解決するための手段】
本発明は、内部に磁気ディスクを収容する扁平なハウジングに形成されたヘッドアクセス用の開口を、ドライブ装置に対するローディング・アンローディング動作に連動して開閉するロータリーシャッタを備え、このロータリーシャッタがハウジングとの間に摺動部を形成する態様でハウジングに軸支されてなる磁気ディスクカートリッジにおいて、ハウジングおよびロータリーシャッタの少なくとも一方に形成された突起が、ロータリーシャッタの開閉時に平面上を摺動するように上記摺動部が形成されていることを特徴とするものである。
【００１４】
上記突起は、点在する複数（３個以上）の半球状小突起、あるいは、ロータリーシャッタの回転中心を略中心として環状に形成された突条とすることができる。
【００１５】
上記突起が点在する複数の半球状小突起の場合、これら突起が摺動する平面側にも同様の半球状小突起を、ロータリーシャッタの回転時に対面側の突起には当接しない位置に設けてもよい。また、上記突起が突条の場合、ハウジングおよびロータリーシャッタのうちのいずれか一方に１条の環状突条を形成し、ハウジングおよびロータリーシャッタ、のうちのいずれか他方に上記１条の環状突条を挟むように２条の環状突条を形成することが好ましい。
【００１６】
【発明の効果】
本発明によれば、突起と平面とによって摺動部が形成されるから、従来のように平面全体が接触するよりも接触面積が少なくなり、ロータリーシャッタの開閉時における摺動抵抗が低減される。
【００１７】
また上記突起が、ロータリーシャッタの回転中心を略中心として環状に形成された突条の場合、ロータリーシャッタの剛性を高めることができ、特に、ハウジングとロータリーシャッタとに、突条が互い違いに形成されている場合、防塵性も高めることができ、磁気ディスクカートリッジの信頼性も向上する効果がある。
【００１８】
【発明の実施の形態】
以下、本発明の実施の形態について、図面を参照して詳細に説明する。
【００１９】
図１は本発明による磁気ディスクカートリッジの第１の実施の形態を示す平面図、図２は、図１のＩＩ−ＩＩ線に沿った断面図である。
【００２０】
本実施の形態の磁気ディスクカートリッジ２０においては、図５および図６で説明した従来の磁気ディスクカートリッジ１のロータリーシャッタ７の上下のシャッタ部材７Ｕ，７Ｄにおける領域Ｓに対応する領域の外面に、複数の半球状小突起Ｐが点在的に形成されて、これら小突起Ｐの先端が上シェル３および下シェル４の内面に接触しており、ロータリーシャッタ７の開閉時にこれら小突起Ｐが上シェル３および下シェル４の内面を摺動するように構成されている。
【００２１】
なお、本実施の形態の磁気ディスクカートリッジ２０は、上記摺動部の構成を除き、図５および図６で説明した従来の磁気ディスクカートリッジ１と同様であるから、対応する部材に同一の符号を付して、重複する説明は省略する。
【００２２】
本実施の形態によれば、ロータリーシャッタ７側に形成された複数の小突起Ｐによってロータリーシャッタ７側の摺動部が構成されているから、従来のように平面全体が接触するよりも接触面積が少なくなり、ロータリーシャッタ７の開閉時における摺動抵抗が低減される。
【００２３】
次の図３は、本発明による磁気ディスクカートリッジの第２の実施の形態を示す平面図、図４は、図１のＩＶ−ＩＶ線に沿った断面図である。
【００２４】
本実施の形態の磁気ディスクカートリッジ３０においては、図５および図６で説明した従来の磁気ディスクカートリッジ１のロータリーシャッタ７の上下のシャッタ部材７Ｕ，７Ｄにおける領域Ｓの周縁部に対応する部位の外面に、ロータリーシャッタ７の回転中心を中心とする２条の環状突条Ｐ１，Ｐ２が間隔をおいて同心的に形成されて、これら突条Ｐ１，Ｐ２の先端が上シェル３および下シェル４の内面に接触している。
【００２５】
また、上シェル３および下シェル４の内面には、１条の環状突条Ｐ３が、上記環状突条Ｐ１，Ｐ２の間に介入する態様で、すなわち、環状突条Ｐ３が環状突条Ｐ１，Ｐ２によって挟まれる態様で同心的に形成されて、この突条３の先端が、上記突条Ｐ１，Ｐ２の間の部位において上下のシャッタ部材７Ｕ，７Ｄの外面に接触している。
【００２６】
本実施の形態の磁気ディスクカートリッジ３０も、上記摺動部の構成を除き、図５および図６で説明した従来の磁気ディスクカートリッジ１と同様であるから、対応する部材に同一の符号を付して、重複する説明は省略する。
【００２７】
本実施の形態によれば、ロータリーシャッタ７の開閉時に、ロータリーシャッタ７側に形成されている２条の突条Ｐ１，Ｐ２が上下シェル３，４の内面上を摺動し、かつ上下シェル３，４に形成された１条の突条Ｐ３が上下のシャッタ部材７Ｕ，７Ｄの外面に摺接するように攻勢されているから、上述した第１の実施の形態と同様に、従来のように平面全体が接触するよりも接触面積が少なくなり、ロータリーシャッタ７の開閉時における摺動抵抗が低減される。
【００２８】
また、突条Ｐ１，Ｐ２の存在によってロータリーシャッタ７の剛性が向上するとともに、突条Ｐ３の存在によって上下シェル３，４の剛性も向上する効果がある。さらに、突条Ｐ１〜Ｐ３が互い違いに配置されていることによって、防塵性も向上するから、磁気ディスクカートリッジ３０の信頼性の向上にも資することができる。
【図面の簡単な説明】
【図１】本発明による磁気ディスクカートリッジの第１の実施の形態を示す平面図
【図２】図１のＩＩ−ＩＩ線に沿った断面図
【図３】本発明による磁気ディスクカートリッジの第２の実施の形態を示す平面図
【図４】図３のＩＶ−ＩＶ線に沿った断面図
【図５】従来の磁気ディスクカートリッジの平面図および底面図
【図６】図５のＶＩ−ＶＩ線に沿った断面図
【符号の説明】
３    上シェル
４    下シェル
５    磁気ディスク
７    ロータリーシャッタ
７Ｕ    上シャッタ部材
７Ｄ    下シャッタ部材
１０    センタコア
Ｐ    小突起
Ｐ１，Ｐ２，Ｐ３    突条
【図１】
2004334924.tif 000003
【図２】
2004334924.tif 000004
【図３】
2004334924.tif 000005
【図４】
2004334924.tif 000006
【図５】
2004334924.tif 000007
【図６】
2004334924.tif 000008